(57)【要約】【課題】廉価かつ簡素な方法により、支持ブラケットや物品載置体を什器本体に確実に取り付けるとともに、什器全体の外観の体裁を向上した物品載置体の支持構造を提供する。【解決手段】前後方向を厚さ方向とするパネル体２２を有する什器本体２に、物品載置体５が支持された物品載置体の支持構造１０であって、パネル体２２には、パネル体２２を前後方向に貫通するブラケット挿通孔２５が形成され、ブラケット挿通孔２５には、支持ブラケット４が挿通され、支持ブラケット４は、パネル体２２の後方において什器本体２に固定される固定部４２と、固定部４２から前方に延びるとともに、パネル体２２から前方に突出し、パネル体２２の前方において物品載置体５を支持する支持部４１と、を備える。【選択図】図３
2020127630.tif 000002
【特許請求の範囲】
【請求項１】
什器本体に、物品載置体を支持させる物品載置体の支持構造であって、
前記什器本体に備えられ、前後方向に貫通するブラケット挿通孔が形成されたパネル体と、
前記ブラケット挿通孔に挿通された支持ブラケットと、
を備え、
前記支持ブラケットは、
後端部が前記パネル体の後方において前記什器本体に固定され、前端部が前記ブラケット挿通孔に挿通される固定部と、
前記固定部から前方に延び、前記パネル体から前方に突出するとともに、前記パネル体の前方において前記物品載置体を支持する支持部と、
を備えることを特徴とする物品載置体の支持構造。
【請求項２】
前記支持部は、
前記固定部から前方に延びるとともに、上下方向と交差する第一方向を厚さ方向とする平板状の基部と、
前後方向から見て、前記基部から前記第一方向に沿って延び、前記物品載置体が連結される平板状の連結部と、
を有し、
前記ブラケット挿通孔は、
前記前後方向から見て、前記第一方向に直交する第二方向に細長に形成され、前記基部が挿通可能な第一挿通部と、
前記第一挿通部に接続され、前記前後方向から見て前記第一方向に細長に形成され、前記連結部が挿通可能な第二挿通部と、
を有することを特徴とする請求項１に記載の物品載置体の支持構造。
【請求項３】
前記第一方向は、左右方向であり、
前記第二方向は、前記上下方向であることを特徴とする請求項２に記載の物品載置体の支持構造。
【請求項４】
前記固定部の前端部は、前記第一挿通部内に挿通されるとともに、前記基部のみに接続され、
前記支持部が前記ブラケット挿通孔を通過し、かつ前記固定部が前記什器本体に固定される前の状態において、前記固定部は、前記第一挿通部内を前記第二方向に移動可能に構成され、
前記連結部の後端部は、前記支持部が前記ブラケット挿通孔を通過した後、前記固定部を前記第二方向の一方側に移動させることで、前記パネル体の前面に前方から係止される連結部側係止部を構成することを特徴とする請求項２又は請求項３に記載の物品載置体の支持構造。
【請求項５】
前記基部の後端縁は、前記固定部に対して前記第二方向の一方側に突出する基部側係止部を備え、
前記基部側係止部は、前記支持部が前記ブラケット挿通孔を通過した後、前記固定部を前記第二方向の一方側に移動させることで、前記パネル体の前面に前方から係止されることを特徴とする請求項４に記載の物品載置体の支持構造。
【請求項６】
前記物品載置体は、前記前後方向から見て、前記ブラケット挿通孔の少なくとも一部と重なり合った状態で前記支持部に支持されることを特徴とする請求項１から請求項５のいずれか１項に記載の物品載置体の支持構造。
【請求項７】
前記物品載置体は、前記上下方向を厚さ方向とする平板状に形成されていることを特徴とする請求項１から請求項６のいずれか１項に記載の物品載置体の支持構造。
【請求項８】
前記什器本体は、床面に設置されるとともに、前記パネル体を後方から支持する支持構造体を備え、
前記固定部は、前記支持構造体に固定されていることを特徴とする請求項１から請求項７のいずれか１項に記載の物品載置体の支持構造。
【発明の詳細な説明】
【技術分野】
【０００１】
本発明は、物品載置体の支持構造に関するものである。
【背景技術】
【０００２】
オフィスや病院、公共施設、研究施設等の室内空間においては、使用者の執務を効率的に実施可能とするために棚等の什器が設置されている。この種の什器としては、パネル体に棚板が設けられた構成が提案されている。これらの棚板をパネル体に取り付ける方法として、以下の方法が提案されている。
【０００３】
例えば特許文献１には、壁固定部材を介して壁面に固定される２つ以上のブラケットと、ブラケットに着脱可能に取り付けられる棚板と、を有する構成が開示されている。壁固定部材に設けられた穴にネジ等を挿通することにより、壁固定部材が壁面に固定される。また、壁固定部材にはキャップが手前側から被せられることで、その内部（ネジ等）が視認されず、美観が損なわれないとされている。
【０００４】
一方、特許文献２には、什器本体に設けられたスリットに挿入係合される係合フックを有する棚受ブラケットと、スリットと係合フックとの隙間に差し込まれる差し込み突部を備えた抜け止め具と、を有する構成が開示されている。特許文献２に記載の技術によれば、係合フックを落とし込むだけで、係合フックとスリットの間に差し込み突部が挿入され、係合フックの移動をロックできるとされている。
【先行技術文献】
【特許文献】
【０００５】
【特許文献１】特開２０１８−１２１８４０号公報
【特許文献２】特開２０１８−５１２０３号公報
【発明の概要】
【発明が解決しようとする課題】
【０００６】
しかしながら、特許文献１に記載の技術にあっては、ネジを隠すためのキャップ部材や、ブラケットを固定するための壁固定部材等が必要となり、部品点数が増加するおそれがある。
【０００７】
特許文献２に記載の技術にあっては、ブラケットをロックするための差し込み突部が什器の前面側に露出することにより、前面から見た什器の外観が損なわれるおそれがある。
【０００８】
そこで、本発明は、廉価かつ簡素な方法により、支持ブラケットや物品載置体を什器本体に確実に取り付けるとともに、什器全体の外観の体裁を向上した物品載置体の支持構造を提供することを目的とする。
【課題を解決するための手段】
【０００９】
上記課題の解決手段として、本発明の態様に係る物品載置体の支持構造は、什器本体に、物品載置体を支持させる物品載置体の支持構造であって、前記什器本体に備えられ、前後方向に貫通するブラケット挿通孔が形成されたパネル体と、前記ブラケット挿通孔に挿通された支持ブラケットと、を備え、前記支持ブラケットは、後端部が前記パネル体の後方において前記什器本体に固定され、前端部が前記ブラケット挿通孔に挿通される固定部と、前記固定部から前方に延び、前記パネル体から前方に突出するとともに、前記パネル体の前方において前記物品載置体を支持する支持部と、を備える。
【００１０】
この構成によれば、支持ブラケットの固定部が、パネル体の後方で什器本体に固定されるので、支持ブラケットと什器本体との接続部分をパネル体の後方に配置できる。これにより、接続部分がパネル体に前方から覆われることになるので、接続部分が前方に露呈するのを抑えることができる。その結果、前方から見た什器の外観の体裁を向上できる。また、接続部分を隠すための部品等が不要となるので、部品点数及びコストを削減できる。また、例えばパネル体の後方においてネジ等の締結具を用いて支持ブラケットを什器本体に固定できるので、フックで引っ掛けてブラケットを固定する従来技術と比較して、確実に支持ブラケットを固定できる。さらに、パネル体の前面にロック用の部材等を設ける必要がないので、支持ブラケットを簡素な構成とすることができる。これにより、什器の前面側から見た物品載置体の支持構造を目立たないように什器に取り付け、什器の外観の体裁を向上できる。
したがって、廉価かつ簡素な方法により、支持ブラケットや物品載置体を什器本体に確実に取り付けるとともに、什器全体の外観の体裁を向上した物品載置体の支持構造を提供できる。
【００１１】
上記態様において、前記支持部は、前記固定部から前方に延びるとともに、上下方向と交差する第一方向を厚さ方向とする平板状の基部と、前後方向から見て、前記基部から前記第一方向に沿って延び、前記物品載置体が連結される平板状の連結部と、を有し、前記ブラケット挿通孔は、前記前後方向から見て、前記第一方向に直交する第二方向に細長に形成され、前記基部が挿通可能な第一挿通部と、前記第一挿通部に接続され、前記前後方向から見て前記第一方向に細長に形成され、前記連結部が挿通可能な第二挿通部と、を有する構成としてもよい。
【００１２】
この構成によれば、支持ブラケットの支持部が、互いに交差する平板状の部材により形成されているので、支持部の剛性を確保した上で、支持部の簡素化を図ることができる。また、パネル体のブラケット挿通孔は、基部が挿通可能な第一挿通部と、連結部が挿通可能な第二挿通部と、により構成されている。このように、ブラケット挿通孔の形状を支持部の正面視形状に合わせることにより、ブラケット挿通孔を最小限の大きさに抑えることができる。
よって、物品載置体の支持構造を簡素な構成とし、什器の外観の体裁を向上できる。
【００１３】
上記態様において、前記第一方向は、左右方向であり、前記第二方向は、前記鉛直方向である構成としてもよい。
【００１４】
この構成によれば、支持ブラケット及びブラケット挿通孔の形状が互いに直角な２辺からなるＬ字状となるので、支持ブラケット及びブラケット挿通孔の加工を容易にできる。
【００１５】
上記態様において、前記固定部の前端部は、前記第一挿通部内に挿通されるとともに、前記基部のみに接続され、前記支持部が前記ブラケット挿通孔を通過し、かつ前記固定部が前記什器本体に固定される前の状態において、前記固定部は、前記第一挿通部内を前記第二方向に移動可能に構成され、前記連結部の後端部は、前記支持部が前記ブラケット挿通孔を通過した後、前記固定部を前記第二方向の一方側に移動させることで、前記パネル体の前面に前方から係止される連結部側係止部を構成する構成としてもよい。
【００１６】
この構成によれば、固定部が基部のみに接続されているので、支持部がブラケット挿通孔を通過した後、固定部と第一挿通部との間の隙間分だけ下方に移動可能となる。これにより、支持部の後端部がパネル体の前面に近接又は当接する。その結果、パネル体に対する支持ブラケットの後方移動が規制され、支持ブラケットを位置決めできる。よって、支持ブラケットを什器本体に固定する際の作業性を向上できる。
【００１７】
上記態様において、前記基部の後端縁は、前記固定部に対して前記第二方向の一方側に突出する基部側係止部を備え、前記基部側係止部は、前記支持部が前記ブラケット挿通孔を通過した後、前記固定部を前記第二方向の一方側に移動させることで、前記パネル体の前面に前方から係止される構成としてもよい。
【００１８】
この構成によれば、支持ブラケットは、連結部側係止部に加えて基部側係止部によってもパネル体に対する移動が制限される。よって、より確実に支持ブラケットを所定の取付位置に位置決めすることができる。
【００１９】
上記態様において、前記物品載置体は、前記前後方向から見て、前記ブラケット挿通孔の少なくとも一部と重なり合った状態で前記支持部に支持される構成としてもよい。
【００２０】
この構成によれば、支持ブラケットに物品載置体が支持された取付状態において、ブラケット挿通孔の露出面積を減少させることができる。よって、取付状態における什器の外観の体裁をより一層向上できる。
【００２１】
上記態様において、前記物品載置体は、前記上下方向を厚さ方向とする平板状に形成されている構成としてもよい。
【００２２】
この構成によれば、物品載置体は平板状に形成されているので、前面から見た什器の外観をシンプルながらも上質な印象の外観とすることができる。また、支持ブラケットと物品載置体との固定を容易に行うことができる。
【００２３】
上記態様において、前記什器本体は、床面に設置されるとともに、前記パネル体を後方から支持する支持構造体を備え、前記固定部は、前記支持構造体に固定されている構成としてもよい。
【００２４】
この構成によれば、固定部を支持構造体に固定することにより、支持ブラケットを安定的に支持できる。また、例えば支持構造体が鉄等の金属材料により形成された場合、より確実に支持ブラケットを支持構造体に固定できる。支持構造体はパネル体の後方に配置されているので、正面から見たときの什器の外観の体裁を向上できる。よって、簡素な方法により、支持ブラケットを確実に取り付けるとともに、什器全体の外観の体裁を向上できる。
【発明の効果】
【００２５】
本発明に係る態様によれば、廉価かつ簡素な方法により、ブラケットや物品載置体を什器に確実に取り付けるとともに什器全体の外観を向上した物品載置体の支持構造を提供できる。
【図面の簡単な説明】
【００２６】
【図１】本発明の第１実施形態における什器（棚）の外観斜視図である。
【図２】上記什器の正面図である。
【図３】図２のＩＩＩ−ＩＩＩ線に沿う断面図である。
【図４】図２のＩＶ部拡大図である。
【図５】本発明の第１実施形態におけるパネル体の正面図である。
【図６】本発明の第１実施形態における支持ブラケットの上面図である。
【図７】本発明の第１実施形態における支持ブラケットの側面図である。
【図８】取付状態における支持ブラケットの斜視図（第三工程における上記パネル体の斜視図）である。
【図９】図８のＩＸ−ＩＸ線に沿う断面図（図３のＩＸ部拡大図）である。
【図１０】第一工程の前の状態における上記パネル体の斜視図である。
【図１１】図１０のＸＩ−ＸＩ線に沿う断面図である。
【図１２】第一工程の前半における上記パネル体の斜視図である。
【図１３】図１２のＸＩＩＩ−ＸＩＩＩ線に沿う断面図である。
【図１４】第一工程の後半における上記パネル体の斜視図である。
【図１５】図１４のＸＶ−ＸＶ線に沿う断面図である。
【図１６】第二工程における上記パネル体の斜視図である。
【図１７】図１６のＸＶＩＩ−ＸＶＩＩ線に沿う断面図である。
【図１８】第２実施形態における支持ブラケットの上面図である。
【図１９】第３実施形態における物品載置体の正面図である。
【発明を実施するための形態】
【００２７】
（第１実施形態）
（什器）
以下、本発明の実施形態について図面を参照して説明する。
図１は、本発明の第１実施形態における什器１の外観斜視図である。図２は、什器１の正面図である。
図１及び図２に示すように、什器１は、例えば棚である。なお、以下の説明において、前後上下左右等の向きは、水平な床面Ｆ（設置面）上に設置された状態の什器１において、什器１から見た正面側を「前」、その逆側を「後」とし、上下左右も什器１から見た向きと同一とする。以下の説明において、上下方向は鉛直方向と一致している。また、図中において、矢印ＵＰは上方を示し、矢印ＦＲは前方を示し、矢印ＬＨは左方を示している。
【００２８】
図１に示すように、什器１は、例えばオフィスや病院、公共施設、研究施設等の室内空間に配置される棚である。什器１には、例えば書類や書籍、実験器具等の物品を収容可能とされている。什器１は、什器本体２と、支持ブラケット４と、物品載置体５と、を備える。
【００２９】
（什器本体）
什器本体２は、収容部２１と、パネル体２２と、支持構造体３と、を備える。
収容部２１は、中空の箱状に形成されている。収容部２１の内部には、物品を収容可能とされている。収容部２１は、前方を向く一つの面が開口された立方体形状の箱部１１と、箱部１１の開口を塞ぐ扉１２と、により構成されている。扉１２は、箱部１１の開口を開放状態と閉塞状態との間で開閉可能にしている。具体的に、扉１２は２枚設けられている。各扉１２は、箱部１１の左右の端部に設けられたヒンジ（不図示）等を介して上下方向に沿う軸線回りにそれぞれ回動可能とされている。扉１２には、扉１２を開閉するための取手１３が設けられている。
【００３０】
収容部２１の下端には、脚２９が設けられている。脚２９は、収容部２１と床面Ｆとの間に設けられている。脚２９は、床面Ｆに当接している。脚２９は、床面Ｆに対して収容部２１を支持している。
【００３１】
図３は、図２のＩＩＩ−ＩＩＩ線に沿う断面図である。
図３に示すように、パネル体２２は、収容部２１の上方に設けられている。パネル体２２は、収容部２１の後端部から上方に延びている。パネル体２２は、フロントパネル１４と、サイドパネル１５と、を有する。
【００３２】
図２に示すように、フロントパネル１４は矩形板状に形成されている。フロントパネル１４の前方を向く面は取付面２４とされている。
【００３３】
図４は、図２のＩＶ部拡大図である。図５は、パネル体２２の正面図である。
図４及び図５に示すように、パネル体２２（フロントパネル１４）には、ブラケット挿通孔２５が形成されている。ブラケット挿通孔２５は、フロントパネル１４を前後方向に貫通している。ブラケット挿通孔２５は、前後方向から見てＬ字状に形成されている。具体的に、ブラケット挿通孔２５は、第一挿通部２７と、第二挿通部２８と、を有する。第一挿通部２７は、上下方向（請求項における第二方向）を長手方向とする長孔状に形成されている。第二挿通部２８は、左右方向（請求項における第一方向）を長手方向とする長孔状に形成されている。第一挿通部２７と第二挿通部２８とはそれぞれの端部において接続されている。図４に示すように、ブラケット挿通孔２５は、前後方向に段差状に形成されている（図９も参照）。
【００３４】
図５に示すように、ブラケット挿通孔２５は、左右方向に一対設けられている。一対のブラケット挿通孔２５は、それぞれＬ字状の開口が互いに内側を向くようにして左右対称に設けられている。本実施形態において、一対のブラケット挿通孔２５が上下方向に間隔をあけて複数（例えば、二対）設けられている。
【００３５】
図２及び図３に示すように、サイドパネル１５は、フロントパネル１４の左右両端部に設けられている。サイドパネル１５は、フロントパネル１４の背面から後方に向かって突出している。サイドパネル１５は、フロントパネル１４の左右の端部においてそれぞれ上下方向に延びている。サイドパネル１５の後端面は、収容部２１の後端面と面一に配置されている。什器１が設置された設置状態において、サイドパネル１５は、例えば室内の壁（不図示）に近接又は当接している。
【００３６】
図３に示すように、支持構造体３は、収容部２１及びパネル体２２の後方に設けられている。支持構造体３は、床面Ｆに設置されるとともに、パネル体２２を後方から支持している。支持構造体３は、縦枠３３と、横枠３４と、アジャスタ３５と、を有する。
縦枠３３は、左右に一対設けられている（図２も参照）。縦枠３３は、上下方向に延びている。縦枠３３は、収容部２１の一部を貫通することにより、収容部２１よりも上方に突出している。図２に示すように、横枠３４は、縦枠３３間を接続している。横枠３４は、上下方向に間隔をあけて２本設けられている。縦枠３３及び横枠３４は、例えば角パイプである。一対の縦枠３３，３３及び２本の横枠３４，３４により、支持構造体３は矩形枠状に形成されている。
アジャスタ３５は、一対の縦枠３３の下端に取り付けられている。アジャスタ３５は、床面Ｆに当接している。アジャスタ３５は、床面Ｆに対して支持構造体３を支持している。
【００３７】
このように構成された支持構造体３は、例えばボルト等の締結具により収容部２１やパネル体２２に固定されている。支持構造体３の前後方向の幅寸法は、パネル体２２のサイドパネル１５の前後方向の幅寸法以下とされている（図３参照）。このように、左右方向から見て支持構造体３がサイドパネル１５により覆われることで、支持構造体３が外部に露呈するのを抑制できる。
【００３８】
図４に示すように、支持構造体３は、ブラケット取付孔３１を有する。ブラケット取付孔３１は縦枠３３に設けられている。ブラケット取付孔３１は、縦枠３３の左右方向内側の側面に形成されている。支持構造体３が収容部２１及びパネル体２２に取り付けられた状態において、ブラケット取付孔３１は、パネル体２２に設けられた各ブラケット挿通孔２５の下方に２個ずつ設けられている。本実施形態において、ブラケット取付孔３１は８個設けられている。
【００３９】
（支持ブラケット）
図６は、支持ブラケット４の上面図である。図７は、支持ブラケット４の側面図である。
支持ブラケット４は、板金等の板部材を折り曲げることにより前後方向から見て断面Ｌ字状に形成されている。支持ブラケット４は、前後方向に延びている。図３に示すように、支持ブラケット４は、パネル体２２（ブラケット挿通孔２５）を前後方向に貫通するとともに什器本体２に固定される。支持ブラケット４が什器本体２に取り付けられた取付状態において、支持ブラケット４は、パネル体２２の前方に突出している。本実施形態において、パネル体２２には、上述したブラケット挿通孔２５に対応して４個の支持ブラケット４が取り付けられている。支持ブラケット４は、支持部４１と、固定部４２と、を有する。
【００４０】
図８は、取付状態における支持ブラケット４を斜め下方から見た斜視図である。図９は、図８のＩＸ−ＩＸ線に沿う断面図である。
図８及び図９に示すように、支持部４１は、取付状態においてパネル体２２の取付面２４よりも前方に位置している。支持部４１は、正面から見て断面Ｌ字状に形成されている。支持部４１は、支持ブラケット４が什器本体２に取り付けられる取付工程において、パネル体２２のブラケット挿通孔２５にパネル体２２の後方から挿入される。支持部４１は、基部４３と、連結部４４と、係止部４０と、を有する。
【００４１】
基部４３は、左右方向を厚さ方向とする平板状に形成されている。基部４３は、左右方向から見て、前後方向に細長に形成された矩形状である。基部４３の前方には傾斜部４６が形成されている。傾斜部４６は、支持ブラケットの前部から後部へ向かうにつれて基部４３の上下方向の幅寸法が増大するように形成されている。基部４３は、取付工程において、パネル体２２の第一挿通部２７に挿通される。基部４３の上下方向の長さは、第一挿通部２７の長手方向（上下方向）の長さ（最小寸法）よりも短い。
【００４２】
連結部４４は、基部４３の上端から左右方向の内側（左右方向でパネル体２２の中心に向かう方向）に向かって延びている。連結部４４は、上下方向を厚さ方向とする平板状に形成されている。図６に示すように、連結部４４は、上下方向から見て、前後方向を長手方向とする矩形状に形成されている。本実施形態において、連結部４４は、基部４３のうち、前端部を除く全域に亘って形成されている。但し、連結部４４は、基部４３の上端縁のうち少なくとも一部に形成されていればよい。
【００４３】
連結部４４には、取付孔４７が形成されている。取付孔４７は、前後方向に間隔をあけて複数（本実施形態では２個）設けられている。取付孔４７は、連結部４４を上下方向に貫通している。連結部４４は、取付工程において、パネル体２２の第二挿通部２８に挿通される。連結部４４の左右方向の長さ寸法は、第二挿通部２８の長手方向（左右方向）の長さ寸法よりも小さい。
【００４４】
図９に示すように、固定部４２は、取付状態においてパネル体２２の取付面２４よりも後方に位置している。固定部４２は、基部４３の後端から後方に延びている。固定部４２は、平板状に形成されている。固定部４２は、左右方向から見てＬ字状に形成されている。固定部４２は、接続部４５と、延設部４９と、を有する。
【００４５】
接続部４５は、固定部４２の前部に位置している。取付状態において、接続部４５は、パネル体２２（第一挿通部２７）の内部に配置されている。接続部４５の下端は、基部４３の下端よりも上方に位置している。接続部４５の前後方向の幅寸法は、パネル体２２の厚みよりも大きい。接続部４５の上下方向の幅寸法は、支持部４１の基部４３における上下方向の幅寸法よりも小さい。これにより、支持部４１がブラケット挿通孔２５を通過し、かつ固定部４２が縦枠３３に取り付けられる前の状態において、接続部４５は、第一挿通部２７内を上下方向にスライド可能とされている。
【００４６】
延設部４９は、固定部４２の後部に位置している。延設部４９は、接続部４５の後端から下方に向かって延設されている。取付状態において、延設部４９は、パネル体２２よりも後方に位置している。
延設部４９には、固定孔４８が形成されている。固定孔４８は、上下方向に間隔をあけて複数（本実施形態では２個）設けられている。固定孔４８は、延設部４９を左右方向に貫通している。固定孔４８は、左右方向から見て、支持構造体３のブラケット取付孔３１と重なるように配置されている。固定孔４８及びブラケット取付孔３１にボルト６１を挿入することにより、支持構造体３に支持ブラケット４が固定される。換言すれば、支持ブラケット４は、パネル体２２の後方位置において支持構造体３に固定される。
【００４７】
図６及び図７に示すように、係止部４０は、基部側係止部４０ａと、連結部側係止部４０ｂと、を有する。
基部側係止部４０ａは、基部４３の後端縁のうち、接続部４５よりも下方に位置する部分である。図９に示すように、基部側係止部４０ａは、取付状態において、パネル体２２の取付面２４のうち、第一挿通部２７よりも下方に位置する部分に近接又は当接している。
図７に戻って、連結部側係止部４０ｂは、連結部４４の後端縁である。図９に示すように、連結部側係止部４０ｂは、取付状態において、パネル体２２の取付面２４のうち、第二挿通部２８よりも下方に位置する部分に近接又は当接している。
【００４８】
（物品載置体）
図１に戻って、物品載置体５は、一対の支持ブラケット４間に架け渡されている。具体的に、物品載置体５の左右両端部が、一対の支持ブラケット４の連結部４４の上面にそれぞれ載置されている。物品載置体５は、上下方向を厚さ方向とする平板状に形成されている。図８に示すように、物品載置体５は、支持ブラケット４の取付孔４７に挿入されたボルト６２により、支持ブラケット４に固定されている。物品載置体５の上面は、物品載置面５１とされている。物品載置面５１には、物品が載置可能とされている。
図４に示すように、支持ブラケット４に物品載置体５が支持された状態において、物品載置体５は、前後方向から見て、パネル体２２に形成されたブラケット挿通孔２５の一部と重なり合うように配置されている。具体的に、物品載置体５は、前後方向から見て第二挿通部２８の全体及び第一挿通部２７の一部を覆っている。ここで、第一挿通部２７の上下方向の長さ寸法は、基部４３の上下方向の長さ寸法よりも大きく、かつ基部４３と物品載置体５を合わせた上下方向の高さ寸法よりも小さい。第一挿通部２７の残りの一部は、支持ブラケット４により覆われている。これにより、物品載置体５を設置した状態において、使用者からブラケット挿通孔２５が視認されない。
【００４９】
（物品載置体の支持構造）
物品載置体の支持構造１０は、什器１に設けられ、前面が取付面２４とされたパネル体２２に、上面が物品載置面５１とされた物品載置体５を支持する物品載置体の支持構造１０である。本実施形態において、物品載置体の支持構造１０は、パネル体２２と、支持構造体３と、支持ブラケット４と、物品載置体５と、を含んでいる。
【００５０】
（什器の組立方法）
次に、什器１の組立方法について説明する。以下の説明では、パネル体２２に支持ブラケット４及び物品載置体５を組み付ける方法について説明する。
什器１の組立方法は、ブラケット挿通孔２５に支持ブラケット４を挿入する第一工程と、支持ブラケット４を固定する第二工程と、支持ブラケット４の上面に物品載置体５を配置する第三工程と、を含む。
【００５１】
図１０は、第一工程が行われる前の状態におけるパネル体２２を斜め下方から見た斜視図である。図１１は、図１０のＸＩ−ＸＩ線に沿う断面図である。
図１０に示すように、第一工程の前の状態において、パネル体２２にはブラケット挿通孔２５が形成されている。
【００５２】
図１２は、第一工程の前半におけるパネル体２２の斜視図である。図１３は、図１２のＸＩＩＩ−ＸＩＩＩ線に沿う断面図である。図１４は、第一工程の後半におけるパネル体２２の斜視図である。図１５は、図１４のＸＶ−ＸＶ線に沿う断面図である。
第一工程では、ブラケット挿通孔２５に支持ブラケット４を挿入する。まず、図１２及び図１３に示すように、支持ブラケット４の支持部４１を前方に配置し、固定部４２を後方に配置した状態で、パネル体２２の後方からブラケット挿通孔２５に支持ブラケット４を挿入する。このとき、支持部４１の基部４３が第一挿通部２７に挿入され、連結部４４が第二挿通部２８に挿入される。次に、図１４及び図１５に示すように、支持部４１の後端がブラケット挿通孔２５を通過するまで支持ブラケット４を前方へ向かって差し込む。このようにして、取付面２４よりも前方に支持部４１を配置し、取付面よりも後方に固定部４２を配置する。この状態で、ブラケット挿通孔２５内には、第一挿通部２７に接続部４５のみが配置される。これにより、支持ブラケット４が第一挿通部２７の上下方向の寸法範囲内でスライド可能となる。
【００５３】
図１６は、第二工程におけるパネル体２２の斜視図である。図１７は、図１６のＸＶＩＩ−ＸＶＩＩ線に沿う断面図である。
第二工程では、第一工程の後、支持ブラケット４の位置決めを行うとともに、支持ブラケット４を支持構造体３に固定する。具体的には、まず、第一工程においてパネル体２２に差し込まれた支持ブラケット４を、ブラケット挿通孔２５に対して下方へ移動させる。ここで、支持ブラケット４の接続部４５の下端は、基部４３の下端よりも上方に位置している。このため、支持ブラケット４をブラケット挿通孔２５に差し込むと、基部４３の下端と接続部４５の下端との段差分だけ支持ブラケット４が下方へ移動する。支持ブラケット４が下方へずれることにより、図１６に示すように、連結部４４が第二挿通部２８と前後方向から見て重ならない位置まで移動する。この状態において、係止部４０が前方からパネル体２２に近接又は当接することにより、パネル体２２に対する支持ブラケット４の後方への移動が制限される。さらに、固定部４２は延設部４９を有するので、延設部４９がパネル体の背面に当接することにより、支持ブラケット４の前方への移動が制限される。
次に、支持ブラケット４の固定孔４８と、支持構造体３に設けられたブラケット取付孔３１と、の孔位置が重なるように支持ブラケット４を位置決めする。その後、固定孔４８及びブラケット取付孔３１にボルト（図９参照）を挿入することにより、支持ブラケット４を支持構造体３に締結固定する。
【００５４】
図８は、第三工程における上記パネル体の斜視図である。図９は、図８のＩＸ−ＩＸ線に沿う断面図である。
第三工程では、支持ブラケット４の上面に物品載置体５を配置する。具体的に、まず、左右一対の支持ブラケット４の間を跨るように物品載置体５を載置する。その後、支持ブラケットの連結部４４に設けられた取付孔４７にボルト６２を挿入することにより、支持ブラケット４と物品載置体５とを締結固定する。なお、物品載置体５には予め取付孔４７に対応する位置に雌ねじが形成されていてもよいし、ビス等により物品載置体５に穿孔しながら締結してもよい。
【００５５】
上述した第一工程から第三工程を経ることにより、パネル体２２に支持ブラケット４及び物品載置体５が取り付けられた什器１を製造できる。
【００５６】
（作用、効果）
次に、上述した物品載置体の支持構造１０の作用、効果について説明する。
本発明の態様に係る物品載置体の支持構造１０によれば、支持ブラケット４の固定部４２が、パネル体２２の後方で什器本体２に固定されるので、支持ブラケット４と什器本体２との接続部分をパネル体２２の後方に配置できる。これにより、接続部分がパネル体２２に前方から覆われることになるので、接続部分が前方に露呈するのを抑えることができる。その結果、前方から見た什器１の外観の体裁を向上できる。また、接続部分を隠すための部品等が不要となるので、部品点数及びコストを削減できる。また、例えばパネル体２２の後方においてネジ等の締結具を用いて支持ブラケット４を什器本体２に固定できるので、フックで引っ掛けてブラケットを固定する従来技術と比較して、確実に支持ブラケット４を固定できる。さらに、パネル体２２の前面にロック用の部材等を設ける必要がないので、支持ブラケット４を簡素な構成とすることができる。これにより、什器１の前面側から見た物品載置体の支持構造１０を目立たないように什器１に取り付け、什器１の外観の体裁を向上できる。
したがって、廉価かつ簡素な方法により、支持ブラケット４や物品載置体５を什器本体２に確実に取り付けるとともに、什器１全体の外観の体裁を向上した物品載置体の支持構造１０を提供できる。
【００５７】
支持ブラケット４の支持部４１が、互いに交差する平板状の部材により形成されているので、支持部４１の剛性を確保した上で、支持部４１の簡素化を図ることができる。また、パネル体２２のブラケット挿通孔２５は、基部４３が挿通可能な第一挿通部２７と、連結部４４が挿通可能な第二挿通部２８と、により構成されている。このように、ブラケット挿通孔２５の形状を支持部４１の正面視形状に合わせることにより、ブラケット挿通孔２５を最小限の大きさに抑えることができる。
よって、物品載置体の支持構造１０を簡素な構成とし、什器１の外観の体裁を向上できる。
【００５８】
支持ブラケット４及びブラケット挿通孔２５の形状が互いに直角な２辺からなるＬ字状となるので、支持ブラケット４及びブラケット挿通孔２５の加工を容易にできる。
【００５９】
固定部４２が基部４３のみに接続されているので、支持部４１がブラケット挿通孔２５を通過した後、固定部４２と第一挿通部２７との間の隙間分だけ下方に移動可能となる。これにより、支持部４１の後端部がパネル体２２の前面に近接又は当接する。その結果、パネル体２２に対する支持ブラケット４の後方移動が規制され、支持ブラケット４を位置決めできる。よって、支持ブラケット４を什器本体２に固定する際の作業性を向上できる。
【００６０】
基部４３の後端縁は、基部側係止部４０ａを備えるので、支持ブラケット４は、連結部側係止部４０ｂに加えて基部側係止部４０ａによってもパネル体２２に対する移動が制限される。よって、より確実に支持ブラケット４を所定の取付位置に位置決めすることができる。
【００６１】
物品載置体５は、前方から見た正面視において、ブラケット挿通孔２５の少なくとも一部と重なり合った状態で支持部４１に支持されるので、支持ブラケット４に物品載置体５が支持された取付状態において、ブラケット挿通孔２５の露出面積を減少させることができる。よって、取付状態における什器１の外観の体裁をより一層向上できる。
【００６２】
物品載置体５は平板状に形成されているので、前面から見た什器１の外観をシンプルながらも上質な印象の外観とすることができる。また、支持ブラケット４と物品載置体５との固定を容易に行うことができる。
【００６３】
また、固定部４２を支持構造体３に固定することにより、支持ブラケット４を安定的に支持できる。また、例えば支持構造体３が鉄等の金属材料により形成された場合、より確実に支持ブラケット４を支持構造体３に固定できる。支持構造体３はパネル体２２の後方に配置されているので、正面から見たときの什器１の外観の体裁を向上できる。よって、簡素な方法により、支持ブラケット４を確実に取り付けるとともに、什器１全体の外観の体裁を向上できる。
【００６４】
（第２実施形態）
次に、本発明に係る第２実施形態について説明する。本実施形態では、支持ブラケット４がパネル体２２に締結固定されている点で上述した実施形態と相違している。
図１８は、本発明の第２実施形態における支持ブラケット２０４及びパネル体２２の上面図である。以下の説明において、上述した第１実施形態と同様の構成については、同一の符号を付して適宜説明を省略する。また、図１８に記載された以外の構成に係る符号については、適宜図１から図１７を参照されたい。
【００６５】
本実施形態において、支持ブラケット２０４の固定部２４２は、接続部４５と、延設部２４９と、を有する。延設部２４９は、接続部４５の後端から左右方向の外側（左右方向でパネル体２２の中心から離間する方向）へ向かって延びている。延設部２４９には、固定孔２４８が形成されている。固定孔２４８は、延設部２４９を前後方向に貫通している。支持ブラケット２０４がパネル体２２に取り付けられた状態において、延設部２４９の前方を向く面は、パネル体２２の背面に当接している。この状態で固定孔２４８にボルト２８０を挿入することにより、パネル体２２に支持ブラケット２０４が締結固定されている。
【００６６】
本実施形態によれば、第１実施形態と同等の作用、効果を奏することに加え、パネル体２２に支持ブラケット２０４を直接固定できるので、支持構造体３の配置の自由度を向上できる。また、支持構造体３を設けない構成とした場合であっても支持ブラケット４を固定できる。よって、什器１の部品点数を削減できる。
なお、延設部２４９は、接続部４５の後端から左右方向の内側へ向かって延びていてもよい。
【００６７】
（第３実施形態）
次に、本発明に係る第３実施形態について説明する。本実施形態では、物品載置体５の支持方法が上述した実施形態と相違している。
図１９は、第３実施形態における物品載置体５の正面図である。
【００６８】
本実施形態において、支持ブラケット３０４は、基部３４３と、連結部３４４と、を有する。図１９に示すように、正面から見て、基部３４３は、上下方向に延びている。連結部３４４は、基部３４３よりも下方に位置している。連結部３４４は、基部３４３の下端から左右方向の内側に向かって延びている。基部３４３及び連結部３４４により、支持ブラケット３０４は、断面Ｌ字状に形成されている。左右に一対設けられた支持ブラケット３０４，３０４は、Ｌ字状の開口が互いに向かい合うように配置されている。
物品載置体５は、連結部３４４の上面に載置されている。物品載置体５の左右方向を向く側面３５２は、支持ブラケット３０４の基部３４３にそれぞれ当接している。
【００６９】
本実施形態によれば、物品載置体５の左右方向を向く側面３５２が基部３４３に当接することにより、物品載置体５の左右方向の移動が制限される。これにより、基部３４３により物品載置体５の左右方向の位置決めができる。また、支持ブラケット３０４の基部３４３及び連結部３４４が物品載置体５に沿うように配置されるので、外観を簡素化できる。よって、物品載置体５を什器１に確実に取り付けるとともに什器１の外観を向上した物品載置体の支持構造１０を提供できる。
なお、支持ブラケット３０４と物品載置体５とがボルト等により締結される構成としてもよい。この場合、より確実に物品載置体５を支持できる。
【００７０】
なお、本発明の技術範囲は上述した実施形態に限定されるものではなく、本発明の趣旨を逸脱しない範囲において種々の変更を加えることが可能である。
例えば、支持ブラケット４と物品載置体５とは一体化されていてもよい。この場合、支持ブラケット４をパネル体２２の前面からブラケット挿通孔２５に挿入する構成としてもよい。
【００７１】
前後方向から見たブラケット挿通孔２５及び支持ブラケット４の形状は、例えばＴ字状やＸ字状、円形状等、Ｌ字状以外の形状に形成されていてもよい。
本実施形態において、係止部４０は、基部側係止部４０ａ及び連結部側係止部４０ｂを有する構成としたが、これに限られない。係止部４０は、基部側係止部４０ａ及び連結部側係止部４０ｂのいずれか一方を有する構成としてもよい。
【００７２】
第一挿通部２７は、上下方向と交差する方向を長手方向とする長孔状に形成されていてもよい。第二挿通部２８は、左右方向と交差する方向を長手方向とする長孔状に形成されていてもよい。第一挿通部２７と第二挿通部２８とのなす角度は、例えば鈍角や鋭角となるように形成されていてもよい。この場合、支持ブラケット４における基部４３と連結部４４とのなす角度は、第一挿通部２７と第二挿通部２８とのなす角度に合わせて形成されるのが好ましい。
物品載置体５は、平板状以外の形状に形成されていてもよい。例えば、物品載置体５の前端や後端が上方に突出した縁部を備えていてもよい。また、物品載置体５は、前後方向から見てＶ字状や曲線状に形成されていてもよい。
また、物品載置体５の段数は上述の実施形態に限られない。
【００７３】
物品載置体５は、支持ブラケット４の下方に配置されていてもよい。
本実施形態において、物品載置体５は、支持ブラケット４にボルト等の締結具により固定される構成としたが、物品載置体５を支持ブラケット４に固定する方法はこれに限られない。例えば、物品載置体５に支持ブラケット４が挿通可能な溝等を設け、支持ブラケット４に対して物品載置体５が差し込まれて固定される構成としてもよい。
【００７４】
本態様の物品載置体の支持構造１０は、例えば机やホワイトボード、パーテーション等、棚以外の什器１にも適用可能である。また、物品載置体５は、例えばホワイトボードの粉受け等であってもよい。
【００７５】
その他、本発明の趣旨を逸脱しない範囲で、上述した実施形態における構成要素を周知の構成要素に置き換えることは適宜可能であり、また、上述した実施形態や変形例を適宜組み合わせてもよい。
【符号の説明】
【００７６】
２  什器本体
３  支持構造体
４  支持ブラケット
５  物品載置体
１０  物品載置体の支持構造
２２  パネル体
２５  ブラケット挿通孔
２７  第一挿通部
２８  第二挿通部
４０ａ  基部側係止部
４０ｂ  連結部側係止部
４１  支持部
４２  固定部
４３  基部
４４  連結部
【図１】
2020127630.tif 000003
【図２】
2020127630.tif 000004
【図３】
2020127630.tif 000005
【図４】
2020127630.tif 000006
【図５】
2020127630.tif 000007
【図６】
2020127630.tif 000008
【図７】
2020127630.tif 000009
【図８】
2020127630.tif 000010
【図９】
2020127630.tif 000011
【図１０】
2020127630.tif 000012
【図１１】
2020127630.tif 000013
【図１２】
2020127630.tif 000014
【図１３】
2020127630.tif 000015
【図１４】
2020127630.tif 000016
【図１５】
2020127630.tif 000017
【図１６】
2020127630.tif 000018
【図１７】
2020127630.tif 000019
【図１８】
2020127630.tif 000020
【図１９】
2020127630.tif 000021